(57)【要約】【課題】  衣類の製品出荷時、店頭陳列時、使用者による洗濯時等において、ホック体が衣類の生地に絡まって衣類自体を傷付けてしまうのを未然に防止する。【解決手段】  ホック体１を備えた固定用止着部分Ｑに当該ホック体１のカギ状の先端側フック部４を露出・収納可能とした収納袋部Ｓを形成する。ホック体１は、収納袋部Ｓの奥内側に縫着配置した根元側ループ部２と、根元側ループ部２の縫着位置から収納袋部Ｓの開口側にかけて延長した首部３と、首部３先端側でカギ状に折り返したアール部分５が開口部の端縁位置に合致した状態で配置した先端側フック部４とを備える。収納袋部Ｓは、先端側フック部４からホック体１のカギ状に折り返されたアール部分５にかけての箇所を確実に収納、隠蔽するための有効スペースを形成し、また折り返させることで外部に露出させる。【選択図】      図２
2005320679.tif 000002
【特許請求の範囲】
【請求項１】
衣類の固定用止着部分に設けられていて、ループ部への引っ掛けによる係合とループ部からの離脱とが自在なホック体を備えた衣類用ホック取付構造であって、ホック体を取付ける固定用止着部分に、ホック体のカギ状の先端側フック部を露出・収納可能とした収納袋部を設けて成ることを特徴とする衣類用ホック取付構造。
【請求項２】
ホック体は、収納袋部の奥内側に縫着配置される根元側ループ部と、根元側ループ部の縫着位置から収納袋部の開口側にかけて延長された首部と、首部先端側でカギ状に折り返されたアール部分が開口部の端縁位置に合致した状態で配置された先端側フック部とを備えて成る請求項１記載の衣類用ホック取付構造。
【発明の詳細な説明】
【技術分野】
【０００１】
本発明は、主に女性用の衣類である例えばブラジャー、ブラスリップ、レオタード、水着、スカート等の固定用止着部分に設けられ、ループ部への引っ掛けによる係合とループ部からの離脱とが自在であり、特に例えば洗濯時における洗濯物との引っ掛かりがなく、洗濯物に対してのほつれ、損傷等が生じないようにカギ状のホック体の露出・収納を可能にした衣類用ホック取付構造に関するものである。
【背景技術】
【０００２】
従来から、この種の衣類用ホック取付構造としては、特許文献１に開示されているように、カギ状のホック先端側を露出させた状態で、当該ホック後端側を芯地、補助布地等に縫い付けて成る技術、あるいは特許文献２に開示されているように、カギ状のホック金具先端側を露出させた状態で、ホック金具の根元部分をホックテープの端部に縫合した技術が存在する。また、特許文献３に開示されているように、ホックの先端側を露出させた状態で、ホックテープの固定継目を用いて当該ホックをベーステープに固定した技術が存在する。
【０００３】
さらに、従来のホック体取付構造は、図５に示すように、当該ホック体１０１における矩形状に折り曲げられて布地に縫着される縫合根元部分１０２からカギ状先端部分１０３が直に形成されているため、固定用止着部分Ｑにおけるホック体１０１を覆う布地の縁部ぎりぎりの縫い目ラインＬに沿って縫合根元部分１０２が縫い付けられて完全に固定された状態となっている。
【特許文献１】特開２００５−５４２８１号公報
【特許文献２】実用新案登録第３１０５４６５号公報
【特許文献３】特表２００３−５３４４６８号公報
【発明の開示】
【発明が解決しようとする課題】
【０００４】
しかしながら、このような従来の衣類用ホック取付構造は、ホック体１０１自体が常に露出しているため、衣類の例えば製品出荷時、店頭陳列時、使用者による洗濯時等において、ホック体１０１がそれ自身の衣類の生地に、さらには他の衣類に絡まって衣類自体を傷付けてしまう虞れがあり、これを防ぐには傷が付かないように慎重に取り扱う必要があった。特にブラジャー等のホック体１０１では、ブラジャーのカップ部分等に刺繍その他の装飾が施されているとき、その装飾部分にホック体１０１が引っ掛かり、装飾を損傷させてしまうことがあり、女性にとってそれが好みの装飾、ブラジャーであるときには非常に残念なものとなる。しかも、従来のホック体１０１は、固定用止着部分Ｑにおける布地の縁部ぎりぎりのラインから縫合根元部分１０２が縫い付けられているため、当該縁部にホック体１０１のカギ状先端部分１０３を収納するためのスペースを形成する余裕がまったく無いのが実情であった。
【０００５】
そこで、本発明は叙上のような従来存した諸事情に鑑み創出されたもので、ループ部への引っ掛けによる係合とループ部からの離脱とが自在なホック体を、止着時には露出させ、不要時には隠蔽するよう収納することで、衣類の例えば製品出荷時、店頭陳列時、使用者による洗濯時等において、当該ホック体が衣類の生地に絡まって衣類自体を傷付けてしまうのを未然に防止できる衣類用ホック取付構造を提供することを目的とする。
【課題を解決するための手段】
【０００６】
上述した課題を解決するため、本発明にあっては、衣類（Ｐ）の固定用止着部分Ｑに設けられ、ループ部Ｒへの引っ掛けによる係合とループ部Ｒからの離脱とが自在なホック体１を備えた衣類用ホック取付構造であって、ホック体１を取付ける固定用止着部分Ｑに、ホック体１のカギ状の先端側フック部４を露出・収納可能とした収納袋部Ｓを設けて成るものである。
ホック体１は、収納袋部Ｓの奥内側に縫着配置される根元側ループ部２と、根元側ループ部２の縫着位置から収納袋部Ｓの開口側にかけて延長された首部３と、首部３先端側でカギ状に折り返されたアール部分５が開口部の端縁位置に合致した状態で配置された先端側フック部４とを備えて成るものとできる。
【０００７】
以上のように構成された本発明に係る衣類用ホック取付構造にあって、衣類装用時にホック体１にて開放部を止着するには、収納袋部Ｓ内から外側にホック体１のカギ状の先端側フック部４を露出させ、ループ部Ｒとの係合で衣類例えばブラジャーの固定用止着部分Ｑを閉じる。また、例えば製品出荷時、店頭陳列時、使用者による洗濯時等には、収納袋部Ｓ内にホック体１のカギ状の先端側フック部４を収納させることで、ホック体１自体すなわちその先端側フック部４を隠蔽し、衣類等に絡ませない。
また、根元側ループ部２の縫着位置から収納袋部Ｓの開口側にかけて延長された首部３は、当該収納袋部Ｓ内にホック体１のカギ状の先端側フック部４を収納させるための有効スペースを形成させる。
【発明の効果】
【０００８】
本発明によれば、ループ部Ｒへの引っ掛けによる係合とループ部Ｒからの離脱とが自在なホック体１を衣類を着用する止着使用時には露出させ、不使用時には収納できる等の露出・収納を必要に応じて簡単に行えるものとなり、これによって、衣類の例えば製品出荷時、店頭陳列時、使用者による洗濯時等において、当該ホック体１が衣類の生地に絡まって衣類自体を傷付けてしまうのを未然に防止することができる。
【０００９】
すなわちこれは本発明が、衣類（Ｐ）のにおけるホック体１を取付ける固定用止着部分Ｑに、ホック体１のカギ状の先端側フック部４を露出・収納可能とした収納袋部Ｓを設けて成るからであり、これにより、ホック体１の露出・収納を必要に応じて容易に行える。  
【００１０】
また、ホック体１は、収納袋部Ｓの奥内側に縫着配置される根元側ループ部２と、根元側ループ部２の縫着位置から収納袋部Ｓの開口側にかけて延長された首部３と、首部３先端側でカギ状に折り返されたアール部分５が開口部の端縁位置に合致した状態で配置された先端側フック部４とを備えて成るので、収納袋部Ｓの開口側に延長した首部３により、当該収納袋部Ｓ内にホック体１のカギ状に折り返されたアール部分５から先端側フック部４にかけての箇所を確実に収納、隠蔽させるための有効スペースを容易に区画形成することができる。
【００１１】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１２】
以下、図面を参照して本発明を実施するための最良の一形態を説明すると、図において示される符号１は、例えば女性用の衣類であるブラジャーＰに設けられた本発明の衣類用ホック取付構造を構成するホック体である。該ホック体１は、図４に示すように、ブラジャーＰの乳房カップ土台部Ｖの左右対称位置から背面部にかけて延び、相互に連結される一対のバック部固定用バンドである固定用止着部分Ｑの一方側先端に、当該ホック体１の二つが例えば上下あるいは左右に並列した状態で取り付けられ、固定用止着部分Ｑの他方側先端に取り付けられた複数列に配したいずれかのループ部Ｒへの引っ掛けによる係合とループ部Ｒからの離脱とが自在に行えるものとしてある。尚、ホック体１は、図示を省略したが１個あるいは３個以上で配列されることもあり、ループ部Ｒもこれに対応した数で配列されている。
【００１３】
ホック体１が取り付けられる固定用止着部分Ｑの先端側には、図１に示すように、収納袋部Ｓを形成するための布材が縫製されている。すなわち、この布材は、図２に示すように、帯状に形成された一端側を短目に折り込むことで二重に形成された第１折込部分１１と、他端側を台紙１４を介して長目に折り込むことで当該台紙１４を挟んで二重に形成された第２折込部分１２とを形成した後、短目の第１折込部分１１を長目の第２折込部分１２に向けて折り込み、折り込まれた第１折込部分１１とは互いに重ならない残りの第２折込部分１２を反対側に折り込んで第３折込部分１３を形成しておく。
【００１４】
そして、固定用止着部分Ｑの先端側を、第２折込部分１２と第３折込部分１３との間に挟み込んでから、第１折込部分１１、第２折込部分１２、第３折込部分１３それぞれの左右縁部から、固定用止着部分Ｑを挟む部位にかけて例えばかがり縫いＨ等で縫合する。これによって、第１折込部分１１と第２折込部分１２との間にホック体１全体を収容可能とする収納袋部Ｓが形成される。
【００１５】
ホック体１は、図３に示すように、所定径の番線材を折曲加工することにより、左右対称となるように略矩形状に折り曲げられた左右一対の根元側ループ部２と、両根元側ループ部２それぞれから延長された首部３と、両首部３が先端側でループ状に連結され、且つ連結先端側がアール部分５によってカギ状に折り返された先端側フック部４と、一方の根元側ループ部２から先端側フック部４の中央位置まで延長して当該先端側フック部４と平行するように先端側をカギ状に折り返された中央首部６とを形成してある。
【００１６】
そして、根元側ループ部２は、収納袋部Ｓの奥内側における第２折込部分１２に固着するよう縫着Ｊされ、首部３および中央首部６は、根元側ループ部２の縫着位置（Ｊ）から収納袋部Ｓの開口側にかけて延長され、先端側フック部４は、首部３先端側でカギ状に折り返されたアール部分５が開口部の端縁位置に合致した状態となって配置されるものとしてある。すなわち、アール部分５はその折り曲げた根元部分位置近傍に、収納袋部Ｓの開口部の端縁が位置し、アール部分５を隠蔽するときには開口端縁部分がアール部分５に被さり、露出させるときにはアール部分５を外出させるようになっており、首部３長さは例えば１０ｍｍ程度として、従来の３ｍｍ程度の長さに比しかなりに長く設定してある。
【００１７】
このとき、根元側ループ部２の縫着による縫い目ラインＬは、図３に示すように、第１折込部分１１、第２折込部分１２、第３折込部分１３それぞれの左右縁部から水平に首部３根元位置まで行き、首部３下方の一方の根元側ループ部２の略中央位置まで下降してから、隣接する他方の根元側ループ部２の略中央位置まで水平に移行し、さらに他方の首部３の根元位置まで上昇してから水平に移行することで、全体が略コ字状に縫い付け形成される。またさらに図３に示すように、根元側ループ部２を縫着するときの縫い目ラインＬは、その方向転換点では第２折込部分１２に至るまで貫通して縫着されることで確実に固定されるようになっている。
【００１８】
これによって、収納袋部Ｓにおいて、根元側ループ部２での縫い目ラインＬよりも上方に、ホック体１全体を確実に収容可能とする空間状の有効スペースが形成されるものとしてある。すなわち、ユーザー側での装用時において、ホック体１のカギ状に折り返された先端側フック部４が収納袋部Ｓ内に収容された状態から該先端側フック部４を収納袋部Ｓ外側に露出させる際には、図１（ａ）に示すように、第１折込部分１１の開口側縁部を若干下方に引っ込めてから先端側フック部４のアール部分５内側にこれを位置させることにより、先端側フック部４は収納袋部Ｓの外側に露出されるものとしてある。
【００１９】
一方、製品出荷時や店頭陳列時等の流通過程、あるいはユーザー側での洗濯時等において、ホック体１のカギ状に折り返された先端側フック部４が収納袋部Ｓの外側に露出した状態から該先端側フック部４を収納袋部Ｓ内に収納する際には、図１（ｂ）に示すように、先端側フック部４のアール部分５内側にある第１折込部分１１の開口側縁部を若干下方に引っ込めてから先端側フック部４の外側に逸脱させることにより、先端側フック部４は収納袋部Ｓの内側に収納されるものとしてある。
【００２０】
また、縫い目ラインＬよりも上方における首部３および中央首部６それぞれの中央箇所は、第１折込部分１１の内側にある第２折込部分１２に縫着された状態となっている。したがって、この縫着部分は第１折込部分１１の外側からは見えない状態となって首部３および中央首部６それぞれを固定するものである。
【００２１】
次に、以上のように構成された最良の形態についての使用、動作の一例について説明すると、ユーザー側で例えばブラジャーＰを装用する時には、図１（ａ）に示すように、固定用止着部分Ｑの一方側先端にある収納袋部Ｓにおける第１折込部分１１の開口側縁部を若干下方に折り返しあるいは引っ込めてから先端側フック部４のアール部分５内側に該開口側縁部を位置させることにより、当該先端側フック部４を収納袋部Ｓの外側に露出させる。
【００２２】
一方、製品出荷時や店頭陳列時等の流通過程、あるいはユーザー側での洗濯時等においては、図１（ｂ）に示すように、固定用止着部分Ｑの一方側先端にある収納袋部Ｓにおける第１折込部分１１の開口側縁部を若干下方に引っ込めてから、収納袋部Ｓの外側に露出している先端側フック部４のアール部分５外側に当該開口側縁部を逸脱させ、先端側フック部４全体を第１折込部分１１の開口側縁部によって覆う状態にし、アール部分５を隠蔽する。こうすることで、ホック体１の先端側フック部４がブラジャーＰの生地に絡まって衣類自体を傷付けてしまうのが未然に防止されるのである。
【産業上の利用可能性】
【００２３】
本実施の形態における衣類用ホック取付構造は、上記したブラジャーＰ以外の女性用の衣類として、例えばブラスリップ、レオタード、水着、スカート等に設けたり、さらには男性用の衣類である例えばズボン等の前側チャック部の上端固定部分に設けたりしても良い。このように、ループ部Ｒへの引っ掛けによる係合とループ部Ｒからの離脱とが自在なカギ状のホック部を備えた衣類における固定用止着部分であれば、同様な種々の衣類に対しても幅広く応用することができる。
【図面の簡単な説明】
【００２４】
【図１】本発明を実施するための最良の形態における衣類用ホック取付構造を示すもので、（ａ）はホック体の露出状態を示す斜視図、（ｂ）はホック体の収納状態を示す斜視図である。
【図２】同じく衣類用ホック取付構造を示すもので、（ａ）はホック体の露出状態を示す縦断面図、（ｂ）はホック体の収納状態を示す縦断面図である。
【図３】同じくホック体の露出状態を示す平面図である。
【図４】同じく本発明に係る衣類用ホック取付構造を備えたブラジャーの斜視図である。
【図５】従来例における衣類用ホック取付構造を示す平面図である。
【符号の説明】
【００２５】
Ｈ…かがり縫い                          Ｊ…縫着
Ｐ…ブラジャー                          Ｑ…固定用止着部分
Ｒ…ループ部                            Ｖ…乳房カップ土台部
Ｓ…収納袋部                            Ｌ…縫い目ライン
１…ホック体                            ２…根元側ループ部
３…首部                                ４…先端側フック部
５…アール部分                          ６…中央首部
１１…第１折込部分                      １２…第２折込部分
１３…第３折込部分                      １４…台紙
１０１…ホック体                        １０２…縫合根元部分
１０３…カギ状先端部分
【図１】
2005320679.tif 000003
【図２】
2005320679.tif 000004
【図３】
2005320679.tif 000005
【図４】
2005320679.tif 000006
【図５】
2005320679.tif 000007